(57)【特許請求の範囲】
【請求項１】
互いに隣り合う、第１画像用のサブ画素である第１サブ画素および第２画像用のサブ画素である第２サブ画素と、
前記第１サブ画素および前記第２サブ画素の両方に画像信号を供給するソース線と、
前記ソース線と前記第１サブ画素との間に接続した第１スイッチング素子と、
前記ソース線と前記第２サブ画素との間に接続した第２スイッチング素子と、
前記第１スイッチング素子の制御電極に駆動信号を供給することで前記第１サブ画素を駆動するゲート線である第１ゲート線と、
前記第２スイッチング素子の制御電極に駆動信号を供給することで前記第２サブ画素を駆動するゲート線である第２ゲート線と、
前記第１サブ画素と前記第２サブ画素の組が行列状に複数配設された表示領域と、
前記表示領域上に配設され、隣り合う前記第１サブ画素と前記第２サブ画素との間の領域上に配設された開口を複数有する遮光膜である視差バリアとを備え、
前記第１サブ画素および前記第２サブ画素のそれぞれは、前記ソース線に平行な方向の長さと前記ソース線に垂直な方向の長さとの比が６：１であり、
前記表示領域において、
前記視差バリアの前記開口が、同一のソース線から画像信号を受ける前記第１サブ画素と前記第２サブ画素との間の領域上に配設される行と、
前記視差バリアの前記開口が、互いに異なるソース線から画像信号を受ける前記第１サブ画素と前記第２サブ画素との間の領域上に配設される行とが、交互に配設されている
ことを特徴とする２画面表示装置。
【請求項２】
互いに隣り合う、第１画像用のサブ画素である第１サブ画素および第２画像用のサブ画素である第２サブ画素と、
前記第１サブ画素および前記第２サブ画素の両方に画像信号を供給するソース線と、
前記ソース線と前記第１サブ画素との間に接続した第１スイッチング素子と、
前記ソース線と前記第２サブ画素との間に接続した第２スイッチング素子と、
前記第１スイッチング素子の制御電極に駆動信号を供給することで前記第１サブ画素を駆動するゲート線である第１ゲート線と、
前記第２スイッチング素子の制御電極に駆動信号を供給することで前記第２サブ画素を駆動するゲート線である第２ゲート線と、
前記第１サブ画素と前記第２サブ画素の組が行列状に複数配設された表示領域と、
前記表示領域上に配設され、隣り合う前記第１サブ画素と前記第２サブ画素との間の領域上に配設された開口を複数有する遮光膜である視差バリアとを備え、
前記第１サブ画素および前記第２サブ画素のそれぞれは、前記ソース線に平行な方向の長さと前記ソース線に垂直な方向の長さとの比が６：１であり、
前記視差バリアにおける前記表示領域上の全ての前記開口は、同一のソース線から画像信号を受ける前記第１サブ画素と前記第２サブ画素との間の領域上に配設される
ことを特徴とする２画面表示装置。
【請求項３】
前記ソース線に供給される前記画像信号の極性が、前記ゲート線ごとに反転し、且つ、隣の前記ソース線の画像信号とは逆極性になる
請求項１記載の２画面表示装置。
【請求項４】
前記ソース線に供給される前記画像信号の極性が、一組の前記第１ゲート線および前記第２ゲート線ごとに反転し、且つ、隣の前記ソース線の画像信号とは逆極性になる
請求項１記載の２画面表示装置。
【請求項５】
前記視差バリアは、金属または黒色の樹脂により形成されている
請求項１から請求項４のいずれか一項記載の２画面表示装置。
【請求項６】
互いに隣り合う、第１画像用のサブ画素である第１サブ画素および第２画像用のサブ画素である第２サブ画素と、
前記第１サブ画素に画像信号を供給するソース線である第１ソース線と、
前記第２サブ画素に画像信号を供給するソース線である第２ソース線と、
前記第１ソース線と前記第１サブ画素との間に接続した第１スイッチング素子と、
前記第２ソース線と前記第２サブ画素との間に接続した第２スイッチング素子と、
前記第１スイッチング素子および前記第２スイッチング素子の各制御電極に駆動信号を供給することで前記第１サブ画素および前記第２サブ画素を駆動するゲート線と、
前記第１サブ画素と前記第２サブ画素の組が行列状に複数配設された表示領域と、
前記表示領域上に配設され、隣り合う前記第１サブ画素と前記第２サブ画素との間の領域上に配設された開口を複数有する遮光膜である視差バリアとを備え、
前記第１サブ画素および前記第２サブ画素のそれぞれは、前記ソース線に平行な方向の長さと前記ソース線に垂直な方向の長さとの比が３：２であり、
前記表示領域において、前記ソース線の延在方向に隣り合う同一の前記ソース線から画像信号を受ける２つのサブ画素が、当該２つのサブ画素の一方を駆動するゲート線と、もう一方を駆動するゲート線との間に配設されている
ことを特徴とする２画面表示装置。
【請求項７】
前記第１サブ画素および前記第２サブ画素のそれぞれは、赤、緑、青のいずれかの色を発し、
前記表示領域において、前記第１サブ画素および前記第２サブ画素のそれぞれが発する色は、前記ゲート線の延在方向に、一つのサブ画素ごとに規則的に変わるように配列されている
請求項６記載の２画面表示装置。
【請求項８】
前記表示領域において、
前記ソース線の延在方向に前記第１サブ画素と前記第２サブ画素とが交互に配置されるように、前記視差バリアの前記開口が千鳥状に配設されている
請求項６または請求項７記載の２画面表示装置。
【請求項９】
前記視差バリアは、金属または黒色の樹脂により形成されている
請求項６から請求項８のいずれか一項記載の２画面表示装置。
【請求項１０】
互いに隣り合う、第１画像用のサブ画素である第１サブ画素および第２画像用のサブ画素である第２サブ画素と、
前記第１サブ画素および前記第２サブ画素の両方に画像信号を供給するソース線と、
前記ソース線と前記第１サブ画素との間に接続した第１スイッチング素子と、
前記ソース線と前記第２サブ画素との間に接続した第２スイッチング素子と、
前記第１スイッチング素子の制御電極に駆動信号を供給することで前記第１サブ画素を駆動するゲート線である第１ゲート線と、
前記第２スイッチング素子の制御電極に駆動信号を供給することで前記第２サブ画素を駆動するゲート線である第２ゲート線と、
前記第１サブ画素と前記第２サブ画素の組が行列状に複数配設された表示領域と、
前記表示領域上に配設され、隣り合う前記第１サブ画素と前記第２サブ画素との間の領域上に配設された開口を複数有する遮光膜である視差バリアとを備え、
前記第１サブ画素および前記第２サブ画素のそれぞれは、前記ソース線に平行な方向の長さと前記ソース線に垂直な方向の長さとの比が３：２であり、
前記表示領域において、
前記視差バリアの前記開口が、同一のソース線から画像信号を受ける前記第１サブ画素と前記第２サブ画素との間の領域上に配設される行と、
前記視差バリアの前記開口が、互いに異なるソース線から画像信号を受ける前記第１サブ画素と前記第２サブ画素との間の領域上に配設される行とが、交互に配設されている
ことを特徴とする２画面表示装置。
【請求項１１】
前記ソース線に供給される前記画像信号の極性が、前記ゲート線ごとに反転し、且つ、隣の前記ソース線の画像信号とは逆極性になる
請求項１０記載の２画面表示装置。
【請求項１２】
前記ソース線に供給される前記画像信号の極性が、一組の前記第１ゲート線および前記第２ゲート線ごとに反転し、且つ、隣の前記ソース線の画像信号とは逆極性になる
請求項１０記載の２画面表示装置。
【請求項１３】
前記視差バリアは、金属または黒色の樹脂により形成されている
請求項１０から請求項１２のいずれか一項記載の２画面表示装置。
【発明の詳細な説明】
【技術分野】
【０００１】
本発明は、２つの画像をそれぞれ異なる方向へ表示する２画面表示装置に関するものである。
【背景技術】
【０００２】
近年、画面を見る角度に応じて異なる画像を表示可能な液晶表示装置（Liquid Crystal Display：ＬＣＤ）の普及が進んでいる（例えば、下記の非特許文献１）。特に、２つの画像をそれぞれ異なる方向に表示する２画面表示装置は、複数の観察者が同時に異なる画像を見ることを可能とするデュアルビュー表示装置の他、両目の視差を考慮した２つの画像を、同一の観察者の左右の目にそれぞれ視認させることで、立体表示を可能とした３Ｄ表示装置にも応用されている（例えば、下記の特許文献１，２）。
【０００３】
本明細書でいう「２画面表示装置」は、デュアルビュー表示装置のみならず、３Ｄ表示装置も含むものとする。また、以下の説明では、赤（Ｒ）、緑（Ｇ）、青（Ｂ）のドットから構成されるカラー画素を単に「画素」と称し、各ドットに対応する単色の画素を「サブ画素」と称する。
【０００４】
２画面表示の方式としては、視差バリアを使用するものが知られている。視差バリア方式の２画面表示装置では、表示パネルの表示領域に、第１画像を表示するためのサブ画素（第１サブ画素）と、第２画像を表示するためのサブ画素（第２サブ画素）とが規則的に（例えば交互に）配置され、その表示領域の上方（前面側）に「視差バリア」と呼ばれる複数の開口を有する遮光膜が配設される。視差バリアの開口は、第１サブ画素と第２サブ画素の間の領域上に配設され、且つ、視差バリアと各サブ画素との間には一定の間隔が設けられる。
【０００５】
例えば、第１サブ画素が視差バリアの開口の左下に位置し、第２サブ画素が視差バリアの右下に位置している場合、表示パネルの正面よりも右側からは、視差バリアの開口を通して第１サブ画素が見え、正面よりも左側からは、視差バリアの開口を通して第２サブ画素が見える。従って、表示パネルの正面よりも右側からは、第１サブ画素が表示する第１画像が見え、正面よりも左側からは第２サブ画素が表示する第２画像が見えることになる。
【０００６】
第１画像が見える範囲（角度）と第２画像が見える範囲との差を大きして、同一の観察者から第１画像と第２画像が同時に見えないように構成したものがデュアルビュー表示装置であり、第１画像が見える範囲と第２画像が見える範囲との差を小さくして、第１画像と第２画像を同一の観察者の左右の目で同時に視認できるように構成したものが、３Ｄ表示装置である。つまり、デュアルビュー表示装置と３Ｄ表示装置の基本的な構造は共通している。なお、各画像が見える範囲（角度）は、視差バリアの開口の大きさや、視差バリアと画素との間隔などによって規定される。
【先行技術文献】
【特許文献】
【０００７】
【特許文献１】特開２００９−２５０９９４号公報
【特許文献２】国際公開第２００４／０１１９８７号
【非特許文献】
【０００８】
【非特許文献１】「『デュアルビュー液晶』『トリプルビュー液晶』について」シャープ技報  第９６号２００７年１１月
【発明の概要】
【発明が解決しようとする課題】
【０００９】
上の説明から分かるように、視差バリア方式の２画面表示装置では、表示領域に配置される複数のサブ画素うち、半数は第１画像の表示に用いられ、残りの半数は第２画像の表示に用いられる。従って、２画面表示装置が表示する、第１画像の解像度および第２画像の解像度は、実質的にその表示装置が持つ解像度の半分となり、その分だけ画質は低下する。
【００１０】
また、視差バリア方式の２画面表示装置では、第１サブ画素と第２サブ画素とが視差バリアの開口を挟んで横方向に並ぶため、各サブ画素のサイズや１つの画素（カラー画素）を構成する赤（Ｒ）、緑（Ｇ）、青（Ｂ）の各サブ画素が横に１列に並ぶ配列に特に変更を加えずに単純に配列した場合、１画面のみを表示する通常の表示装置（以下「１画面表示装置」）に比べて、縦方向の解像度は同じであるが、横方向の解像度は半分となってしまう。
【００１１】
表示領域の大きさを一定に保ったまま、第１画像および第２画像の解像度を上げるためには、各サブ画素のサイズを小さくしてサブ画素のピッチを狭くし、表示領域に配設される画素数を増やせばよい。例えば液晶表示装置において画素数を増やす場合、画素数の増加に応じて、各画素に画像信号を供給するソース線の数や、各画素を駆動するゲート線の数を増やす必要がある。そのため表示装置の解像度を上げるには、製造コストの増大を伴う。
【００１２】
また、２画面表示装置においてサブ画素のピッチを狭くすると、第１画像および第２画像が見える範囲（角度）が狭くなる。第１画像および第２画像が見える範囲を一定に保ったまま解像度を上げるためには、視差バリアと画素との間隔も狭くする必要がある。例えば液晶表示装置において、視差バリアと画素との間隔がカラーフィルタやブラックマトリクスを搭載する基板（カラーフィルタ基板）の厚さによって規定される場合、当該基板をより薄くする必要があり、従来の表示装置の製造プロセスが適用困難になることも考えられ、それによる製造コストの増大も懸念される。
【００１３】
本発明は以上のような課題を解決するためになされたものであり、１画面表示装置の画像と同じ解像度を維持でき、また製造コストの増大を抑えることが可能な２画面表示装置を提供することを目的とする。
【課題を解決するための手段】
【００１４】
本発明の第１の局面に係る２画面表示装置は、互いに隣り合う、第１画像用のサブ画素である第１サブ画素および第２画像用のサブ画素である第２サブ画素と、前記第１サブ画素および前記第２サブ画素の両方に画像信号を供給するソース線と、前記ソース線と前記第１サブ画素との間に接続した第１スイッチング素子と、前記ソース線と前記第２サブ画素との間に接続した第２スイッチング素子と、前記第１スイッチング素子の制御電極に駆動信号を供給することで前記第１サブ画素を駆動するゲート線である第１ゲート線と、前記第２スイッチング素子の制御電極に駆動信号を供給することで前記第２サブ画素を駆動するゲート線である第２ゲート線と、前記第１サブ画素と前記第２サブ画素の組が行列状に複数配設された表示領域と、前記表示領域上に配設され、隣り合う前記第１サブ画素と前記第２サブ画素との間の領域上に配設された開口を複数有する遮光膜である視差バリアとを備え、前記第１サブ画素および前記第２サブ画素のそれぞれは、前記ソース線に平行な方向の長さと前記ソース線に垂直な方向の長さとの比が６：１であり、前記表示領域において、前記視差バリアの前記開口が、同一のソース線から画像信号を受ける前記第１サブ画素と前記第２サブ画素との間の領域上に配設される行と、前記視差バリアの前記開口が、互いに異なるソース線から画像信号を受ける前記第１サブ画素と前記第２サブ画素との間の領域上に配設される行とが、交互に配設されているものである。
本発明の第２の局面に係る２画面表示装置は、互いに隣り合う、第１画像用のサブ画素である第１サブ画素および第２画像用のサブ画素である第２サブ画素と、前記第１サブ画素および前記第２サブ画素の両方に画像信号を供給するソース線と、前記ソース線と前記第１サブ画素との間に接続した第１スイッチング素子と、前記ソース線と前記第２サブ画素との間に接続した第２スイッチング素子と、前記第１スイッチング素子の制御電極に駆動信号を供給することで前記第１サブ画素を駆動するゲート線である第１ゲート線と、前記第２スイッチング素子の制御電極に駆動信号を供給することで前記第２サブ画素を駆動するゲート線である第２ゲート線と、前記第１サブ画素と前記第２サブ画素の組が行列状に複数配設された表示領域と、前記表示領域上に配設され、隣り合う前記第１サブ画素と前記第２サブ画素との間の領域上に配設された開口を複数有する遮光膜である視差バリアとを備え、前記第１サブ画素および前記第２サブ画素のそれぞれは、前記ソース線に平行な方向の長さと前記ソース線に垂直な方向の長さとの比が６：１であり、前記視差バリアにおける前記表示領域上の全ての前記開口は、同一のソース線から画像信号を受ける前記第１サブ画素と前記第２サブ画素との間の領域上に配設されるものである。
【００１５】
本発明の第３の局面に係る２画面表示装置は、互いに隣り合う、第１画像用のサブ画素である第１サブ画素および第２画像用のサブ画素である第２サブ画素と、前記第１サブ画素に画像信号を供給するソース線である第１ソース線と、前記第２サブ画素に画像信号を供給するソース線である第２ソース線と、前記第１ソース線と前記第１サブ画素との間に接続した第１スイッチング素子と、前記第２ソース線と前記第２サブ画素との間に接続した第２スイッチング素子と、前記第１スイッチング素子および前記第２スイッチング素子の各制御電極に駆動信号を供給することで前記第１サブ画素および前記第２サブ画素を駆動するゲート線と、前記第１サブ画素と前記第２サブ画素の組が行列状に複数配設された表示領域と、前記表示領域上に配設され、隣り合う前記第１サブ画素と前記第２サブ画素との間の領域上に配設された開口を複数有する遮光膜である視差バリアとを備え、前記第１サブ画素および前記第２サブ画素のそれぞれは、前記ソース線に平行な方向の長さと前記ソース線に垂直な方向の長さとの比が３：２であり、前記表示領域において、前記ソース線の延在方向に隣り合う同一の前記ソース線から画像信号を受ける２つのサブ画素が、当該２つのサブ画素の一方を駆動するゲート線と、もう一方を駆動するゲート線との間に配設されているものである。
【００１６】
本発明の第４の局面に係る２画面表示装置は、互いに隣り合う、第１画像用のサブ画素である第１サブ画素および第２画像用のサブ画素である第２サブ画素と、前記第１サブ画素および前記第２サブ画素の両方に画像信号を供給するソース線と、前記ソース線と前記第１サブ画素との間に接続した第１スイッチング素子と、前記ソース線と前記第２サブ画素との間に接続した第２スイッチング素子と、前記第１スイッチング素子の制御電極に駆動信号を供給することで前記第１サブ画素を駆動するゲート線である第１ゲート線と、前記第２スイッチング素子の制御電極に駆動信号を供給することで前記第２サブ画素を駆動するゲート線である第２ゲート線と、前記第１サブ画素と前記第２サブ画素の組が行列状に複数配設された表示領域と、前記表示領域上に配設され、隣り合う前記第１サブ画素と前記第２サブ画素との間の領域上に配設された開口を複数有する遮光膜である視差バリアとを備え、前記第１サブ画素および前記第２サブ画素のそれぞれは、前記ソース線に平行な方向の長さと前記ソース線に垂直な方向の長さとの比が３：２であり、前記表示領域において、前記視差バリアの前記開口が、同一のソース線から画像信号を受ける前記第１サブ画素と前記第２サブ画素との間の領域上に配設される行と、前記視差バリアの前記開口が、互いに異なるソース線から画像信号を受ける前記第１サブ画素と前記第２サブ画素との間の領域上に配設される行とが、交互に配設されているものである。
【発明の効果】
【００１７】
本発明の第１および第２の局面によれば、サブ画素の横幅が狭く、サブ画素の横方向のピッチを従来の半分にできるので、１画面表示装置と同様の解像度を有する第１画像および第２画像を表示することができる。またソース線の数が従来と同じでよいため、製造コストの増大が抑えられる。
【００１８】
本発明の第３の局面によれば、サブ画素の縦の長さが短いが、サブ画素の２行を用いて１つの画素（カラー画素）の列を構成することで、画素の横幅を従来の半分（サブ画素の３列分）にでき、画素の横方向のピッチを従来の半分にできるので、１画面表示装置と同様の解像度を有する第１画像および第２画像を表示することができる。また、サブ画素の幅は従来と同じであるので、画素と視差バリアとの間隔は従来と同じでよい。よって従来の製造プロセスを容易に適用でき、製造コストの増大が抑えられる。
【００１９】
本発明の第４の局面によれば、サブ画素の縦の長さが短いが、サブ画素の２行を用いて１つの画素（カラー画素）の列を構成することで、画素の横幅を従来の半分（サブ画素の３列分）にでき、画素の横方向のピッチを従来の半分にできる。また２列のサブ画素に１本のソース線から画像信号を供給する構成であるので、ソース線の数は従来の半分で済む。また、サブ画素の幅は従来と同じであるので、画素と視差バリアとの間隔は従来と同じでよい。よって従来の製造プロセスを容易に適用でき、製造コストの増大が抑えられる。
【図面の簡単な説明】
【００２０】
【図１】実施の形態１に係る２画面表示装置の断面図である。
【図２】実施の形態１に係る２画面表示装置の液晶表示パネルの平面図である。
【図３】実施の形態２に係る２画面表示装置の断面図である。
【図４】実施の形態２に係る２画面表示装置の液晶表示パネルの平面図である。
【図５】実施の形態３に係る２画面表示装置の液晶表示パネルの平面図である。
【図６】実施の形態４に係る２画面表示装置の液晶表示パネルの平面図である。
【図７】実施の形態４に係る２画面表示装置の液晶表示パネルの平面図である。
【図８】実施の形態５に係る２画面表示装置の駆動方法（ドット反転駆動）を説明するための図である。
【図９】実施の形態５に係る２画面表示装置の駆動方法（１×２駆動）を説明するための図である。
【図１０】実施の形態６に係る２画面表示装置の液晶表示パネルの平面図である。
【図１１】実施の形態７に係る２画面表示装置の液晶表示パネルの平面図である。
【図１２】実施の形態８に係る２画面表示装置の液晶表示パネルの平面図である。
【図１３】実施の形態８に係る２画面表示装置の液晶表示パネルの平面図である。
【図１４】従来の２画面表示装置をドット反転駆動させた場合における各サブ画素の極性を示す図である。
【図１５】従来の２画面表示装置を１×２駆動させた場合における各サブ画素の極性を示す図である。
【発明を実施するための形態】
【００２１】
＜実施の形態１＞
図１および図２は、本発明の実施の形態１に係る２画面表示装置である液晶表示装置の構成を示す図である。図１は当該２画面表示装置の断面図であり、図２はその液晶表示パネル１００の平面図である。ここでは、２画面表示装置の例として、複数の観察者が同時に異なる画像を見ることを可能とするデュアルビュー液晶表示装置を示している。
【００２２】
図１に示すように、本実施の形態の２画面表示装置は、液晶表示パネル１００とその前面側（視認側）および背面側にそれぞれ設けられた偏光板４１，４２が、バックライトユニット５０の前面側に配設された構成となっている。さらに、液晶表示パネル１００は、前面側のカラーフィルタ基板１０と背面側のＴＦＴアレイ基板２０との間に、液晶３０が挟持された構成となっている。
【００２３】
カラーフィルタ基板１０は、ガラス基板など透明性の第１基板１１と、第１基板１１の背面側の面（ＴＦＴアレイ基板２０との対向面）に形成されたブラックマトリクス１２およびカラーフィルタ１３と、第１基板１１の前面側の面に形成された視差バリア１４とを備えている。ブラックマトリクス１２は、サブ画素間を遮光する遮光膜であり、各サブ画素の領域を規定する開口を有している。カラーフィルタ１３は、各サブ画素が発する光（ブラックマトリクス１２の開口を通過した光）の色を規定する、赤（Ｒ）・緑（Ｇ）・青（Ｂ）のいずれかの色材である。視差バリア１４は、ブラックマトリクス１２の開口を通過した光を特定の方向のみに通過する遮光膜であり、金属または黒色の樹脂により形成される。
【００２４】
一方、ＴＦＴアレイ基板２０は、ガラス基板など透明性の第２基板２１と、各サブ画素の画素電極２４、それら画素電極２４に画像信号を供給するための薄膜トランジスタ（Thin Film Transistor；ＴＦＴ）２５、各ＴＦＴ２５のゲート電極に駆動信号を供給するためのゲート線（走査信号線）ＧＬ、ＴＦＴ２５のソース電極に画像信号を供給するソース線（画像信号線）ＳＬなどが配設されて成っている。
【００２５】
ゲート線ＧＬおよびＴＦＴ２５のゲート電極は、第２基板２１の上面に形成される（図１では不図示）。ゲート線ＧＬおよびＴＦＴ２５のゲート電極は、ゲート絶縁膜２２によって覆われ、当該ゲート絶縁膜２２上に、ソース線ＳＬならびにＴＦＴ２５のソース電極およびドレイン電極が形成される。さらに、ソース線ＳＬおよびＴＦＴ２５の上は、層間絶縁膜２３によって覆われ、当該層間絶縁膜２３上に、画素電極２４が形成される。画素電極２４は、層間絶縁膜２３に形成されたコンタクトホールを介してＴＦＴ２５のドレイン電極に接続されている。
【００２６】
ここで、視差バリア１４の構成および機能について具体的に説明する。視差バリア１４は、ブラックマトリクス１２の開口と平面視でずれた位置に、スリット状の開口１４ａを有している。視差バリア１４とブラックマトリクス１２との間には、所定の間隔（ここでは第１基板１１の厚みに相当）が設けられる。この構成により、ブラックマトリクス１２の開口（サブ画素）から液晶表示パネル１００の正面方向へ出射された光は視差バリア１４により遮られ、斜め方向へ出射された光のみが視差バリア１４の開口１４ａを通過する。
【００２７】
２画面表示装置では、視差バリア１４の１つの開口１４ａに対し、ブラックマトリクス１２の開口（サブ画素）が２つずつ割り当てられる。すなわち図２のように、液晶表示パネル１００の正面から見て、各開口１４ａの左側には第１画像を表示するための第１サブ画素（赤の第１サブ画素Ｒ１、緑の第１サブ画素Ｇ１、青の第１サブ画素Ｂ１のいずれか）が配設され、各開口１４ａの右側には第２画像を表示するための第２サブ画素（赤の第２サブ画素Ｒ２、緑の第２サブ画素Ｇ２、青の第２サブ画素Ｂ２のいずれか）が配設される。
【００２８】
その結果、図１に示すように、液晶表示パネル１００の正面よりも右側からは、視差バリア１４の開口１４ａを通して第１サブ画素Ｒ１，Ｇ１，Ｂ１が表示する第１画像が見え、正面よりも左側からは第２サブ画素Ｒ２，Ｇ２，Ｂ２が表示する第２画像が見えることになる。
【００２９】
本実施の形態では、図１のように、視差バリア１４とブラックマトリクス１２とが、第１基板１１の互いに反対側の面に配設されるため、第１基板１１は、その厚みにより視差バリア１４とブラックマトリクス１２との間隔を規定するギャップ層として機能する。通常、第１画像が見える範囲（液晶表示パネル１００正面方向に対する角度）と第２画像が見える範囲との差は、ギャップ層を薄くすると大きくなり、ギャップ層を厚くすると小さくなる。よって、異なる観察者に対して異なる画像を表示するデュアルビュー表示装置では、薄いギャップ層が用いられ、一人の観察者の左右の目に異なる画像を視認させる３Ｄ表示装置では、厚いギャップ層が用いられる。
【００３０】
以下、本実施の形態に係る２画面表示装置の液晶表示パネル１００の構成の詳細について説明する。液晶表示パネル１００の表示領域には、図２のように、第１サブ画素（赤の第１サブ画素Ｒ１、緑の第１サブ画素Ｇ１および青の第１サブ画素Ｂ１のいずれか）と、第２サブ画素（赤の第２サブ画素Ｒ２、緑の第２サブ画素Ｇ２および青の第２サブ画素Ｂ２のいずれか）とが、横方向（ゲート線ＧＬの延在方向）に交互に配設される。
【００３１】
１つの画素（カラー画素）は、横方向に並ぶ赤、青、緑の３つのサブ画素から構成される。そのため１画面表示装置では、各サブ画素の縦横比は約３：１に設定される。
【００３２】
一方、従来の２画面表示装置は、１画面表示装置と同じ構造の表示パネル上に視差バリアを配設した構造を有していたため、各サブ画素の縦横比は１画面表示装置と同様に約３：１であった。そして、その半数が第１画像を表示する第１サブ画素として用いられ、残りの半数が第２画像を表示する第２サブ画素として用いられる。従って、従来の２画面表示装置では、第１画像および第２画像の横方向の解像度が、１画面表示装置の表示画像の半分になっていた。
【００３３】
それに対し、本実施の形態に係る２画面表示装置の液晶表示パネル１００では、第１サブ画素および第２サブ画素の横幅を１画面表示装置の半分にし、且つ、第１サブ画素および第２サブ画素を横方向に従来の半分のピッチで配設する。つまり第１サブ画素および第２サブ画素それぞれの縦横比は約６：１であり、横方向に並ぶサブ画素数は従来の２画面表示装置の２倍である。従って、当該液晶表示パネル１００における横方向の解像度は、従来の２画面表示装置の２倍、つまり１画面表示装置と同様の解像度となる。
【００３４】
液晶表示パネル１００の表示領域には、横方向に隣り合う第１サブ画素および第２サブ画素から成る組が、行列状に複数配設される。以下では、サブ画素の横方向の並びを「行」、縦方向の並びを「列」と称する。また、各サブ画素の縦横比については、本明細書中においては、各サブ画素の領域を規定するブラックマトリクス１２の開口部の縦横比を意味するのではなく、行方向、列方向にそれぞれ配列する各サブ画素の繰り返し単位についての縦横比を意味し、配列する各サブ画素の縦方向、横方向、それぞれにおけるピッチの比に相当することになる。
【００３５】
本実施の形態では、図２のように縦方向（ソース線ＳＬの延在方向）にも第１サブ画素と第２サブ画素とが交互に並ぶように配設される。つまり隣り合うサブ画素行では、第１サブ画素と第２サブ画素との位置関係が逆になる。従って、本実施の形態に係る液晶表示パネル１００の表示領域には、縦方向にも横方向にも、第１サブ画素および第２サブ画素が交互に並ぶことになる。言い換えれば、第１サブ画素および第２サブ画素は千鳥状に配設される。
【００３６】
また、視差バリア１４の各開口１４ａは、その左側に第１サブ画素が配置され、右側に第２サブ画素が配置されるようにする必要があるので、図２の如く、開口１４ａも千鳥状に配設される。
【００３７】
第１サブ画素および第２サブ画素のそれぞれは、赤、緑、青のいずれかの色を発するが、本実施の形態では、第１サブ画素および第２サブ画素のそれぞれが発する色が、横方向に、１つのサブ画素ごとに規則的に変わるように配列される。図２の例では、赤の第１サブ画素Ｒ１、緑の第２サブ画素Ｇ２、青の第１サブ画素Ｂ１、赤の第２サブ画素Ｒ２、緑の第１サブ画素Ｇ１、青の第２サブ画素Ｂ２、赤の第１サブ画素Ｒ１…の順に周期的に配列されている。
【００３８】
液晶表示パネル１００を正面よりも右から見ると、視差バリア１４により第２サブ画素が遮られるため、赤の第１サブ画素Ｒ１、青の第１サブ画素Ｂ１および緑の第１サブ画素Ｇ１が横方向に並んで見え、それら３つのサブ画素で１つの画素（カラー画素）が構成される。その結果、液晶表示パネル１００の正面よりも右からは、第１画像が見えるようになる。
【００３９】
逆に、液晶表示パネル１００を正面よりも左から見ると、視差バリア１４により第１サブ画素が遮られるため、緑の第２サブ画素Ｇ２、赤の第２サブ画素Ｒ２および青の第２サブ画素Ｂ２が横方向に並んで見え、それら３つのサブ画素で１つの画素が構成される。その結果、液晶表示パネル１００の正面よりも左からは、第２画像が見えるようになる。
【００４０】
従って、本実施の形態に係る２画面表示装置の液晶表示パネル１００では、横方向に１列に並んで配設される６つのサブ画素、即ち、赤の第１サブ画素Ｒ１、青の第１サブ画素Ｂ１および緑の第１サブ画素Ｇ１、並びに緑の第２サブ画素Ｇ２、赤の第２サブ画素Ｒ２および青の第２サブ画素Ｂ２により、液晶表示パネル１００の正面よりも右から観察される第１画像および左から観察される第２画像を併せた１つの画素に対応する基本単位（第１画像および第２画像をそれぞれ表示する赤、緑、青のカラー画素よりなる６つのサブ画素）は構成される。但し、この基本単位を構成する６つのサブ画素における第１画像および第２画像と赤、緑、青の組み合わせ配列は、１行ごとに第１画像および第２画像に対応するサブ画素が入れ替わり２種類の配列を交互に繰り返す形となる。また、この基本単位が行方向、列方向に配列される数により、それぞれ横方向、縦方向の解像度が決定される。なお、第１画像および第２画像について共通の画像を表示させることで、本実施の形態に係る２画面表示装置の液晶表示パネル１００は１画面表示装置として活用することも可能であり、その際には、この６つのサブ画素よりなる基本単位が１画面表示装置における１つの画素（カラー画素）に対応する。
【００４１】
図２のように、ソース線ＳＬは縦方向に延在し、横方向に隣り合う第１サブ画素と第２サブ画素の間の領域に配設される。各ソース線ＳＬは、それを挟んで隣接する第１サブ画素と第２サブ画素の両方に画像信号を供給するように構成されている。従って、各ソース線ＳＬには、第１サブ画素に接続するＴＦＴ２５と、その隣の第２サブ画素に接続するＴＦＴ２５の両方が接続される。
【００４２】
そのため、ソース線ＳＬの数はサブ画素列の数の半数となり、図２のように、ソース線ＳＬはサブ画素の２列おきに配置される。従って、本実施の形態に係る２画面表示装置では、横方向の解像度（サブ画素列の数）従来の２倍となるにも関わらず、ソース線ＳＬの数は従来と同じである。
【００４３】
このように、ソース線ＳＬが、サブ画素の２列おきに第１サブ画素と第２サブ画素の間に配置され、且つ、開口１４ａが千鳥状に配設されるので、表示領域上には、図２に示すように、開口１４ａがソース線ＳＬ上に配設される行と、開口１４ａ上に配設されない行とが交互に並ぶことになる。つまり、サブ画素のある行では、同一のソース線ＳＬから画像信号を受ける第１サブ画素と第２サブ画素との間の領域上に開口１４ａが配設されるが、その隣の行では、互いに異なるソース線ＳＬから画像信号を受ける第１サブ画素と第２サブ画素との間の領域上に開口１４ａが配設される。
【００４４】
ゲート線ＧＬは、ＴＦＴ２５のゲート電極に駆動信号を供給することで各サブ画素を駆動する。各ゲート線ＧＬは、横方向（すなわちゲート線ＧＬと交差する方向）に延在し、各サブ画素行の間に配設される。本実施の形態では、各サブ画素行は、第１サブ画素を駆動するためのゲート線ＧＬ（第１ゲート線）と、第２サブ画素を駆動するためのゲート線ＧＬ（第２ゲート線）の２本によって駆動される。図２においては、奇数番目のゲート線ＧＬは、各ソース線ＳＬの左側に配置されたサブ画素に接続したＴＦＴ２５のゲート電極に接続されており、偶数番目のゲート線ＧＬは、各ソース線ＳＬの右側に配置されたサブ画素に接続したＴＦＴ２５のゲート電極に接続されている（図２においてｊは奇数）。つまり、サブ画素の１行につき２本ずつのゲート線ＧＬが設けられる。よってゲート線ＧＬの数は従来の２画面表示装置の場合の２倍となる。
【００４５】
図２に示すように、各サブ画素行は、それに属する第１サブ画素を駆動するゲート線ＧＬと、第２サブ画素を駆動するＧＬとの間に配設される。言い換えれば、１つのサブ画素行を駆動する２本のゲート線ＧＬは、そのサブ画素行を挟むように配設される。よって、各サブ画素行の間には、ゲート線ＧＬが２本ずつ配設されることになる。
【００４６】
このように本実施の形態に係る２画面表示装置においては、各サブ画素の横幅を従来の２画面表示装置の場合の半分にして縦横比を約６：１とし、且つ、横方向に配置するサブ画素数を従来の２倍とした。それにより、表示領域の寸法を維持したまま、横方向の解像度を従来の倍、すなわち１画面表示装置と同等にすることができる。
【００４７】
さらに、第１画像および第２画像を、１画面表示装置の場合と同じ解像度で表示することができる。例えば、従来の２画面表示装置では、１画面表示装置でＶＧＡ（640×480）で表示される画像が１／２ＶＧＡ（320×480）で表示されるが、本実施の形態の２画面表示装置ではそのままＶＧＡの画像として表示できる。
【００４８】
なお、本実施の形態に係る２画面表示装置の液晶表示パネル１００では、横方向に一列に並んで配設される６つのサブ画素により、左右それぞれより観察される赤、緑、青のサブ画素に対応する６つのサブ画素を構成していることから、各サブ画素の縦横比を約６：１とすることで、赤、緑、青の３つのサブ画素で構成される１つの画素は、縦横比が約１：１のほぼ方形に構成される。言い換えると赤、緑、青の３つのサブ画素で構成される画素の縦横に配列するピッチの比が約１：１に構成される。従って、一般的に縦横比が約１：１のほぼ方形に構成される画素を備えた表示装置による表示を想定して作られる映像情報について、想定されるアスペクト比の映像として表示することができる。なお、表示される映像情報のアスペクト比に対して多少の歪みを許容することができる用途などの場合には、各サブ画素の縦横比を約６：１に設定することは必須ではない。
【００４９】
また、１本のソース線ＳＬから、２列のサブ画素に画像信号を供給する構成となるため、横方向の解像度が従来の倍になっても、ソース線ＳＬの数は従来と同じである。そのため、画像信号の出力回路（ＩＣ）の数は、従来の２画面表示装置の場合と同じでよい。
【００５０】
一方、各サブ画素行において、第１サブ画素と第２サブ画素とを別々のゲート線ＧＬを用いて駆動させる構成となるため、ゲート線ＧＬの数は従来の２倍となる。各画素が赤、緑、青のサブ画素で構成する表示装置では、各画素を１本のゲート配線と３本のソース配線を用いて駆動する。従って、横方向の解像度を倍にする場合、ゲート配線の数を変えずにソース配線数を倍にするよりも、本実施の形態のようにゲート配線を倍にしてソース配線の数を変えない方が、必要な配線の数は少なくて済み、液晶表示パネル１００を比較的低コストで作成することができる。
【００５１】
＜実施の形態２＞
図３および図４は、本発明の実施の形態２に係る２画面表示装置としての液晶表示装置の構成を示す図である。図３は２画面表示装置の断面図であり、図４はその液晶表示パネル１００の平面図である。
【００５２】
実施の形態１では、第１サブ画素および第２サブ画素のそれぞれが発する色を、横方向に、１つのサブ画素ごとに変わるように配列させたが、本実施の形態では、２つのサブ画素ごとに規則的に変わるように配列させている。具体的には、同一のソース線ＳＬから画像信号を受ける第１サブ画素および第２サブ画素を同じ色にしている。その他の構成は、実施の形態１と同様である。
【００５３】
図４の例では、各行において、赤の第１サブ画素Ｒ１、赤の第２サブ画素Ｒ２、緑の第１サブ画素Ｇ１、緑の第２サブ画素Ｇ２、青の第１サブ画素Ｂ１、青の第２サブ画素Ｂ２、赤の第１サブ画素Ｒ１…の順に周期的に配列されている。
【００５４】
図３に示すように、液晶表示パネル１００を正面よりも右から見ると、視差バリア１４により第２サブ画素が遮られるため、赤の第１サブ画素Ｒ１、青の第１サブ画素Ｂ１および緑の第１サブ画素Ｇ１が横方向に並んで見え、それら３つのサブ画素で１つの画素（カラー画素）が構成される。よってこの場合も、液晶表示パネル１００の正面よりも右からは、第１画像が見える。
【００５５】
また、液晶表示パネル１００を正面よりも左から見ると、視差バリア１４により第１サブ画素が遮られるため、緑の第２サブ画素Ｇ２、赤の第２サブ画素Ｒ２、および青の第２サブ画素Ｂ２が横方向に並んで見え、それら３つのサブ画素で１つの画素が構成される。よって、液晶表示パネル１００の正面よりも左からは、第２画像が見える。
【００５６】
本実施の形態でも、実施の形態１と同様の効果が得られる。
【００５７】
＜実施の形態３＞
図５は、本発明の実施の形態３に係る２画面表示装置としての液晶表示装置の構成を示す図であり、当該２画面表示装置が備える液晶表示パネル１００の平面図である。
【００５８】
実施の形態３では、視差バリア１４の開口１４ａを、千鳥状でなく、行列状に配設している。具体的には、表示領域上の全ての開口１４ａを、ソース線ＳＬ上に設けている。すなわち、全ての開口１４ａは、同一のソース線ＳＬから画像信号を受ける第１サブ画素と第２サブ画素との間の領域上に配設される。
【００５９】
その他の構成は、実施の形態２とほぼ同様であるが、開口１４ａが行列状に配設される結果、表示領域には、第１サブ画素のみから成る列と、第２サブ画素のみから成る列とが交互に並ぶことになる。各サブ画素行で、第１サブ画素と第２サブ画素との位置関係は全て同じになる。
【００６０】
本実施の形態でも、実施の形態１と同様の効果が得られる。
【００６１】
＜実施の形態４＞
実施の形態４では、本発明に係る２画面表示装置に適した駆動方法を説明する。
【００６２】
まず、それに先立って、従来の２画面表示装置の駆動に関しての問題を説明する。一般に、液晶表示装置では、液晶を交流で駆動させることに起因するフリッカ（画像のちらつき）の発生を抑制する目的で、ドット反転駆動やその派生系による液晶の駆動方法が採用されることが多い。ドット反転駆動方式は、ソース線に供給する画像信号の極性をゲート線ごとに反転させ、且つ、隣り合うソース線の画像信号を互いに逆極性にするものである。
【００６３】
図１４は、従来の２画面表示装置をドット反転駆動させた場合における、各サブ画素に供給される画像信号の極性（以下、単に「サブ画素の極性」と称することもある）の正（＋）／負（−）を示す図である。従来の２画面表示装置では、各サブ画素列はそれぞれ個別のソース線ＳＬから画像信号を受け、各サブ画素行はそれぞれ個別のゲート線ＧＬで駆動されるので、画像信号の極性は、縦方向（列方向）および横方向（行方向）の両方で、１つのサブ画素ごとに反転する。
【００６４】
あるフレームにおいて、例えば図１４のように、第ｉ番目のソース線ＳＬiから画像信号を受けるサブ画素列で、第ｊ番目のゲート線ＧＬjで駆動されるサブ画素から順に、画像信号の極性を＋、−、＋、−、＋、…と変化させるとする。この場合、第ｉ＋１番目のソース線ＳＬi+1から画像信号を受けるサブ画素列では、第ｊ番目のゲート線ＧＬjで駆動されるサブ画素から順に、画像信号の極性を−、＋、−、＋、−、…と変化させる。同様に、ソース線ＳＬi+2では、画像信号の極性をゲート線ＧＬjから順に＋、−、＋、−、＋、…と変化させ、ソース線ＳＬi+3では、画像信号の極性をゲート線ＧＬjから順に−、＋、−、＋、−、…と変化させる。なお、各サブ画素の極性は、フレームごとに反転するため、次のフレームでは、各サブ画素の極性は図１４の状態の逆になる。
【００６５】
１画面表示装置では、このようにサブ画素の極性を互い違いにすることで、フリッカの発生が抑えられる効果が得られる。しかし、図１４に示すような従来の２画面表示装置では、その効果を充分に得ることができない。
【００６６】
図１４の例では、第１サブ画素（赤の第１サブ画素Ｒ１、緑の第１サブ画素Ｇ１、青の第１サブ画素Ｂ１）の全てが正極性（＋）であり、第２サブ画素（赤の第２サブ画素Ｒ２、緑の第２サブ画素Ｇ２、青の第２サブ画素Ｂ２）の全てが負極性（−）となっている。従って、第１画像は正極性のサブ画素のみで表示され、第２画素は負極性のサブ画素のみで表示される。また次のフレームでは、第１画像は負極性のサブ画素のみで表示され、第２画素は正極性のサブ画素のみで表示される。つまり、第１画像および第２画像は、各フレームで同一極性のサブ画素のみで表示される。その場合、駆動信号に僅かなずれが生じてもフリッカが発生する。
【００６７】
図１４と同じ構成の２画面表示装置で、フリッカの発生を抑える方法として「１×２駆動方式」と呼ばれるものがある。１×２駆動方式では、ソース線に供給する画像信号の極性をゲート線の２本ごとに反転させ、且つ、隣り合うソース線の画像信号を互いに逆極性にするものである。
【００６８】
図１５は、従来の２画面表示装置を１×２駆動させた場合における、各サブ画素に供給される画像信号の極性（サブ画素の極性）を示す図である。あるフレームにおいて、例えば図１５のように、第ｉ番目のソース線ＳＬiから画像信号を受けるサブ画素列で、第ｊ番目のゲート線ＧＬjで駆動されるサブ画素から順に、画像信号の極性を＋、＋、−、−、−、＋、＋、…と２本のゲート線ＧＬのごとに変化させるとする。この場合、第ｉ＋１番目のソース線ＳＬi+1から画像信号を受けるサブ画素列では、第ｊ番目のゲート線ＧＬjで駆動されるサブ画素から順に、画像信号の極性を−、−、＋、＋、−、−、…と変化させる。同様に、ソース線ＳＬi+2では、画像信号の極性をゲート線ＧＬjから順に＋、＋、−、−、−、＋、＋、…と変化させ、ソース線ＳＬi+3では、画像信号の極性をゲート線ＧＬjから順に−、−、＋、＋、−、−、…と変化させる。なお、１×２駆動でも、各サブ画素の極性はフレームごとに反転する。
【００６９】
１×２駆動の場合、第１画像および第２画像が同一極性のサブ画素のみで表示されることは回避できる。しかし、各サブ画素行では、第１サブ画素は全て同じ極性になり、第２サブ画素も全て同じ極性となる。例えば図１５のように、ゲート線ＧＬjで駆動されるサブ画素行では、第１サブ画素は全て正極性、第２サブ画素は全て負極性となる。ゲート線ＧＬj+1で駆動されるサブ画素行と、ゲート線ＧＬj+2で駆動されるサブ画素行では、第１サブ画素は全て負極性、第２サブ画素は全て正極性となる。さらに、ゲート線ＧＬj+3で駆動されるサブ画素行と、ゲート線ＧＬj+4で駆動されるサブ画素行では、第１サブ画素は全て正極性、第２サブ画素は全て負極性となる。
【００７０】
よって、１×２駆動の場合には、第１画像および第２画像のそれぞれにおいて、正極性のみのサブ画素行と、負極性のみのサブ画素行とが、２行ごとに繰り返されることになる。このように、第１画像よび第２画像が、連続して直線状に並ぶ同一極性のサブ画素群を含む場合、その部分に直線状の輝度ムラ（すなわち明暗の線）が現れやすく、画質を低下させる原因となる。
【００７１】
実施の形態１，２に示した２画面表示装置（図２，図４）では、上記の問題は生じない。すなわち、ドット反転駆動や１×２駆動により、フリッカおよび輝度ムラを抑制することができる。そのことを図６および図７を用いて説明する。
【００７２】
図６は、図２に示した２画面表示装置をドット反転駆動させた場合における、各サブ画素に供給される画像信号の極性を示す図である。図２の２画面表示装置では、１本のソース線ＳＬが２列のサブ画素に画像信号を供給し、各サブ画素行は２本のゲート線ＧＬにより駆動される（第１サブ画素と第２サブ画素とが異なるゲート線ＧＬで駆動される）。そのため、図１４の場合と同様に、ソース線ＳＬに供給する画像信号の極性をゲート線ＧＬごとに反転させ、且つ、隣り合うソース線ＳＬの画像信号を互いに逆極性にすると、図６のように、各行のサブ画素の極性は、横方向に＋、＋、−、−、＋、＋、…と変化する。
【００７３】
従って、第１サブ画素（赤の第１サブ画素Ｒ１、緑の第１サブ画素Ｇ１、青の第１サブ画素Ｂ１）および第２サブ画素（赤の第２サブ画素Ｒ２、緑の第２サブ画素Ｇ２、青の第２サブ画素Ｂ２）がそれぞれ同一極性のみになることはなく、フリッカの発生を抑制できる。また、連続して直線状に並ぶ同一極性のサブ画素群も構成されないので、直線状の輝度ムラの発生も防止される。
【００７４】
また、図７は、図２に示した２画面表示装置を１×２駆動させた場合における、各サブ画素に供給される画像信号の極性を示す図である。図２の２画面表示装置に対し、図１５の場合と同様に、ソース線ＳＬに供給する画像信号の極性を２本のゲート線ＧＬごとに（一組の第１ゲート線および第２ゲート線ごとに）反転させ、且つ、隣り合うソース線ＳＬの画像信号を互いに逆極性にすると、図７のように、この場合も各行のサブ画素の極性は、横方向に＋、＋、−、−、＋、＋、…と変化する。
【００７５】
従って、第１サブ画素および第２サブ画素がそれぞれ同一極性のみになることはなく、フリッカの発生を抑制できる。また、連続して直線状に並ぶ同一極性のサブ画素群も構成されないので、直線状の輝度ムラの発生も防止される。
【００７６】
＜実施の形態５＞
図８は、実施の形態５に係る２画面表示装置の液晶表示パネル１００の平面図である。当該液晶表示パネル１００の回路構成は、図１４に示した従来の２画面表示装置に類似しているが、第１サブ画素および第２サブ画素の縦の長さを１画面表示装置の半分にし、且つ、サブ画素を縦方向に従来の半分のピッチで配設している。つまり第１サブ画素および第２サブ画素それぞれの縦横比は約３：２であり、縦方向に並ぶサブ画素数は従来の２画面表示装置の２倍である。
【００７７】
本実施の形態では、１つの画素（カラー画素）は、２行のサブ画素に跨るように構成される。図９は、実施の形態５に係る２画面表示装置の液晶表示パネル１００における画素とそれを構成するサブ画素との関係を示す図である。第１画像を表示する画素（第１画像用画素）は、図９に点線で示す３角形の頂点に位置する３つの第１サブ画素（赤の第１サブ画素Ｒ１、緑の第１サブ画素Ｇ１、青の第１サブ画素Ｂ１）により構成される。また第２画像を表示する画素（第２画像用画素）は、同図において一点鎖線で示す３角形の頂点に位置する３つの第１サブ画素（赤の第２サブ画素Ｒ２、緑の第２サブ画素Ｇ２、青の第２サブ画素Ｂ２）により構成される。従って、第１画像および第２画像をそれぞれ表示する赤、緑、青のカラー画素よりなる基本単位としては、横方向に３列、縦方向に２行よりなる６つのサブ画素により構成される。
【００７８】
従来の２画面表示装置における１つの画素は、縦の長さがサブ画素の１行分に相当し、横幅がサブ画素の６列分に相当していた。それに対し、本実施の形態の２画面表示装置における１つの画素は、図９の如く、縦の長さがサブ画素の２行分に相当し、横幅がサブ画素の３列分に相当する。但し、本実施の形態のサブ画素の縦の長さは、従来の半分である。従って、本実施の形態の２画面表示装置の画素は、従来の２画面表示装置の画素に対し、縦の長さが同じで横幅が半分となる。その結果、本実施の形態の２画面表示装置における横方向の解像度は、従来の２画面表示装置の２倍、つまり１画面表示装置と同様の解像度となる。
【００７９】
液晶表示パネル１００の表示領域には、横方向に隣り合う第１サブ画素および第２サブ画素から成る組が、行列状に複数配設される。本実施の形態では、図８のように縦方向（ソース線ＳＬの延在方向）にも第１サブ画素と第２サブ画素とが交互に並ぶように配設される。つまり隣り合うサブ画素行では、第１サブ画素と第２サブ画素との位置関係が逆になる。よって、視差バリア１４の開口１４ａは千鳥状に配設される。また、サブ画素が縦方向に従来の半分のピッチで配設されているため、開口１４ａの縦方向のピッチも従来の半分となる。
【００８０】
第１サブ画素および第２サブ画素のそれぞれは、赤、緑、青のいずれかの色を発するが、本実施の形態では、第１サブ画素および第２サブ画素のそれぞれが発する色が、横方向に、１つのサブ画素ごとに規則的に変わるように配列される。図８の例では、赤の第１サブ画素Ｒ１、緑の第２サブ画素Ｇ２、青の第１サブ画素Ｂ１、赤の第２サブ画素Ｒ２、緑の第１サブ画素Ｇ１、青の第２サブ画素Ｂ２、赤の第１サブ画素Ｒ１…の順に周期的に配列されている。
【００８１】
液晶表示パネル１００を正面よりも右から見ると、視差バリア１４により第２サブ画素が遮られるため、三角形の頂点状に並ぶ赤の第１サブ画素Ｒ１、青の第１サブ画素Ｂ１および緑の第１サブ画素Ｇ１が１つの画素を構成する。その結果、液晶表示パネル１００の正面よりも右からは、第１画像が見える。
【００８２】
逆に、液晶表示パネル１００を正面よりも左から見ると、視差バリア１４により第１サブ画素が遮られるため、三角形の頂点状に並ぶ緑の第２サブ画素Ｇ２、赤の第２サブ画素Ｒ２および青の第２サブ画素Ｂ２が１つの画素を構成する。その結果、液晶表示パネル１００の正面よりも左からは、第２画像が見える。
【００８３】
ソース線ＳＬは、縦方向に延在し、サブ画素の各列の間の領域に配設される。サブ画素の各列には、それぞれ個別のソース線ＳＬから画像信号が供給される。つまり本実施の形態では、隣接する第１サブ画素と第２サブ画素に、それぞれ個別のソース線ＳＬから画像信号が供給される。よって、ソース線ＳＬの数はサブ画素列の数と同じ、すなわち従来の２画面表示装置の場合と同じである。
【００８４】
また、ソース線ＳＬは、サブ画素の各列の間に配設されるので、視差バリア１４において千鳥状に配設された開口１４ａは、いずれもソース線ＳＬの上方に位置することになる。
【００８５】
一方、各ゲート線ＧＬは、横方向に延在し、各サブ画素行の間に配設される。各サブ画素行に対してゲート線ＧＬが１本ずつ設けられ、同じ行のサブ画素はすべて同じゲート線ＧＬによって駆動される。但し、本実施の形態では、サブ画素は、縦の長さが従来の半分であり、縦方向に従来の半分のピッチで配設されているため、ゲート線ＧＬの数は従来の２倍となる。
【００８６】
このように、本実施の形態に係る２画面表示装置では、各サブ画素の縦の長さを従来の２画面表示装置の場合の半分にして縦横比を約３：２であり、且つ、それぞれの画素（カラー画素）が２行のサブ画素に跨って構成される。それにより、１つの画素の横幅は従来の半分（サブ画素の３行分）になる。よって、表示領域の寸法を維持したまま、横方向の解像度を従来の倍、すなわち１画面表示装置と同等にすることができる。その結果、第１画像および第２画像を、１画面表示装置の場合と同じ解像度で表示することができる。
【００８７】
また、本実施の形態の２画面表示装置における各サブ画素の横幅、およびサブ画素の横方向のピッチは、従来の２画面表示装置の場合と同じである。よって、視差バリアと画素との間のギャップは、従来の２画面表示装置と同じでよい。そのため、例えば図１に示した構成のように、視差バリアと画素との間隔（ブラックマトリクス１２と視差バリア１４との間隔）が第１基板１１の厚さによって規定される場合でも、当該第１基板１１の厚さは従来と同じでよい。よって、従来の表示装置の製造プロセスを容易に適用でき、製造コストの増大を抑えることができる。
【００８８】
＜実施の形態６＞
図１０は、本発明の実施の形態６に係る２画面表示装置の液晶表示パネル１００の平面図である。実施の形態６の液晶表示パネル１００は、回路構成が実施の形態５と同じであるが、各要素のレイアウトが実施の形態５とは異なっている。
【００８９】
本実施の形態では、ゲート線ＧＬを、各サブ画素行の間に１本ずつ配設するのではなく、サブ画素の２行おきに２本ずつ配設している。また、２本のゲート線ＧＬを挟む２行のサブ画素のそれぞれは、その２本のゲート線ＧＬのうちの近い方によって駆動される。すなわち、図１０において、隣り合う２本のゲート線ＧＬj+1，ＧＬj+2のうち、上側のゲート線ＧＬj+1は、その上側に位置するサブ画素行を駆動し、下側のゲート線ＧＬj+2は、その下側に位置するサブ画素行を駆動する。
【００９０】
言い換えれば、隣り合う２行のサブ画素は、その一方を駆動するゲート線ＧＬと、もう一方を駆動するゲート線ＧＬとの間に配設される。すなわち、図１０において、ゲート線ＧＬjとゲート線ＧＬj+1との間に配設された２行のサブ画素は、その一方がゲート線ＧＬjにより駆動され、もう一方はゲート線ＧＬj+1により駆動される。
【００９１】
本実施の形態においても、各画素（カラー画素）は、図９のように２行のサブ画素に跨るように構成される。本実施の形態では、サブ画素を２行ずつ近接させて配設することができるので、１つの画素を構成する３つのサブ画素を互いに近接させて配置できる。
【００９２】
＜実施の形態７＞
実施の形態７では、実施の形態５（図８）の２画面表示装置に、実施の形態１の回路構成を応用する。図１１は、実施の形態７に係る２画面表示装置の液晶表示パネル１００の平面図である。
【００９３】
本実施の形態に係る２画面表示装置の液晶表示パネル１００では、各サブ画素のサイズおよびレイアウトは実施の形態５と同様である。つまり、各サブ画素それぞれの縦横比は約３：２であり、且つ、サブ画素を縦方向に従来の半分のピッチで配設している。また図９に示したように、１行の画素（カラー画素）は２行のサブ画素を用いて構成される。よって、当該液晶表示パネル１００における横方向の解像度は、従来の２画面表示装置の２倍、つまり１画面表示装置と同様の解像度となる。
【００９４】
なお、本実施の形態でも、横方向および縦方向に第１サブ画素と第２サブ画素とが交互に並ぶように配設され、視差バリア１４の開口１４ａは千鳥状に配設される。また、サブ画素が縦方向に従来の半分のピッチで配設されているため、開口１４ａの縦方向のピッチも従来の半分となる。
【００９５】
第１サブ画素および第２サブ画素のそれぞれは、赤、緑、青のいずれかの色を発するが、本実施の形態では、第１サブ画素および第２サブ画素のそれぞれが発する色が、横方向に、１つのサブ画素ごとに規則的に変わるように配列される。図１１の例では、赤の第１サブ画素Ｒ１、緑の第２サブ画素Ｇ２、青の第１サブ画素Ｂ１、赤の第２サブ画素Ｒ２、緑の第１サブ画素Ｇ１、青の第２サブ画素Ｂ２、赤の第１サブ画素Ｒ１…の順に周期的に配列されている。
【００９６】
液晶表示パネル１００を正面よりも右から見ると、視差バリア１４により第２サブ画素が遮られるため、三角形の頂点状に並ぶ赤の第１サブ画素Ｒ１、青の第１サブ画素Ｂ１および緑の第１サブ画素Ｇ１が１つの画素を構成する。その結果、液晶表示パネル１００の正面よりも右からは、第１画像が見える。
【００９７】
逆に、液晶表示パネル１００を正面よりも左から見ると、視差バリア１４により第１サブ画素が遮られるため、三角形の頂点状に並ぶ緑の第２サブ画素Ｇ２、赤の第２サブ画素Ｒ２および青の第２サブ画素Ｂ２が１つの画素を構成する。その結果、液晶表示パネル１００の正面よりも左からは、第２画像が見える。
【００９８】
図１１のように、ソース線ＳＬは、縦方向に延在し、横方向に隣り合う第１サブ画素と第２サブ画素の間の領域に配設される。各ソース線ＳＬは、それを挟んで隣接する第１サブ画素と第２サブ画素の両方に画像信号を供給するように構成されている。従って、各ソース線ＳＬには、第１サブ画素に接続するＴＦＴ２５と、その隣の第２サブ画素に接続するＴＦＴ２５の両方が接続される。
【００９９】
そのため、ソース線ＳＬの数はサブ画素列の数の半数でよく、図１１のように、ソース線ＳＬはサブ画素の２列おきに配置される。本実施の形態に係る２画面表示装置では、横方向のサブ画素列の数が従来と同じなので、ソース線ＳＬの数は従来の半分でよい。
【０１００】
このように、ソース線ＳＬが、サブ画素の２列おきに第１サブ画素と第２サブ画素の間に配置され、且つ、開口１４ａが千鳥状に配設されるので、図１１に示すように、開口１４ａがソース線ＳＬ上に配設される行と、開口１４ａ上に配設されない行とが交互に配設されることになる。つまり、サブ画素のある行では、開口１４ａが同一のソース線ＳＬから画像信号を受ける第１サブ画素と第２サブ画素との間の領域上に配設されるが、その隣の行では、開口１４ａが、互いに異なるソース線ＳＬから画像信号を受ける第１サブ画素と第２サブ画素との間の領域上に配設される。
【０１０１】
一方、各ゲート線ＧＬは、横方向に延在し、各サブ画素行の間に配設される。本実施の形態では、各サブ画素行に対して、第１サブ画素を駆動するためのゲート線ＧＬ（第１ゲート線）と、第２サブ画素を駆動するためのゲート線ＧＬ（第２ゲート線）の２本が設けられる。図１１においては、奇数番目のゲート線ＧＬは、各ソース線ＳＬの左側に配置されたサブ画素に接続したＴＦＴ２５のゲート電極に接続されており、偶数番目のゲート線ＧＬは、各ソース線ＳＬの右側に配置されたサブ画素に接続したＴＦＴ２５のゲート電極に接続されている（図１１においてｊは奇数）。
【０１０２】
つまり、サブ画素の１行につき２本ずつのゲート線ＧＬが設けられる。また本実施の形態では、サブ画素行の数は従来の２倍である。よってゲート線ＧＬの数は従来の４倍となる。
【０１０３】
本実施の形態では、各サブ画素行は、その第１サブ画素を駆動するゲート線ＧＬと、第２サブ画素を駆動するＧＬとの間に配設される。言い換えれば、サブ画素行を駆動する２本のゲート線ＧＬは、それらが駆動するサブ画素行を挟むように配設される。よって、各サブ画素行の間には、図１１のようにゲート線ＧＬが２本ずつ配設されることになる。
【０１０４】
このように、本実施の形態に係る２画面表示装置では、各サブ画素の縦の長さを従来の２画面表示装置の場合の半分にして縦横比を約３：２であり、且つ、それぞれの画素（カラー画素）がサブ画素の２行に跨って構成される。それにより、１つの画素の横幅を従来の半分（サブ画素の３行分）になる。よって、表示領域の寸法を維持したまま、横方向の解像度を従来の倍、すなわち１画面表示装置と同等にすることができる。その結果、第１画像および第２画像を、１画面表示装置の場合と同じ解像度で表示することができる。
【０１０５】
また、本実施の形態の２画面表示装置における各サブ画素の横幅およびサブ画素の横方向のピッチは、従来の２画面表示装置の場合と同じである。よって、視差バリアと画素との間のギャップは、従来の２画面表示装置と同じでよい。そのため、例えば図１のように、視差バリアと画素との間隔（ブラックマトリクス１２と視差バリア１４との間隔）が第１基板１１の厚さによって規定される場合でも、当該第１基板１１の厚さは従来と同じでよい。よって、従来の表示装置の製造プロセスを容易に適用でき、製造コストの増大を抑えることができる。
【０１０６】
＜実施の形態８＞
実施の形態７に示した２画面表示装置（図１１）は、それをドット反転駆動や１×２駆動させることにより、フリッカおよび輝度ムラを効果的に抑制することができる。
【０１０７】
図１２は、図１１に示した２画面表示装置をドット反転駆動させた場合における、各サブ画素に供給される画像信号の極性を示す図である。図１１の２画面表示装置では、１本のソース線ＳＬが２列のサブ画素に画像信号を供給し、各サブ画素行は２本のゲート線ＧＬにより駆動される（第１サブ画素と第２サブ画素とが異なるゲート線ＧＬで駆動される）。そのため、図１４の場合と同様に、ソース線ＳＬに供給する画像信号の極性をゲート線ＧＬごとに反転させ、且つ、隣り合うソース線ＳＬの画像信号を互いに逆極性にすると、図６のように、各行のサブ画素の極性は、横方向に＋、＋、−、−、＋、＋、…と変化する。
【０１０８】
従って、第１サブ画素（赤の第１サブ画素Ｒ１、緑の第１サブ画素Ｇ１、青の第１サブ画素Ｂ１）および第２サブ画素（赤の第２サブ画素Ｒ２、緑の第２サブ画素Ｇ２、青の第２サブ画素Ｂ２）がそれぞれ同一極性のみになることはなく、フリッカの発生を抑制できる。また、連続して直線状に並ぶ同一極性のサブ画素群も構成されないので、直線状の輝度ムラの発生も防止される。
【０１０９】
また、図１３は、図１１に示した２画面表示装置を１×２駆動させた場合における、各サブ画素に供給される画像信号の極性を示す図である。すなわち、ソース線ＳＬに供給する画像信号の極性を２本のゲート線ＧＬごとに（一組の第１ゲート線および第２ゲート線ごとに）反転させ、且つ、隣り合うソース線ＳＬの画像信号を互いに逆極性にする。図７のように、この場合も、各行のサブ画素の極性は、横方向に＋、＋、−、−、＋、＋、…と変化する。
【０１１０】
従って、第１サブ画素および第２サブ画素がそれぞれ同一極性のみになることはなく、フリッカの発生を抑制できる。また、連続して直線状に並ぶ同一極性のサブ画素群も構成されないので、直線状の輝度ムラの発生も防止される。
【０１１１】
なお、本発明は、その発明の範囲内において、各実施の形態を自由に組み合わせたり、各実施の形態を適宜、変形、省略することが可能である。
【符号の説明】
【０１１２】
１０  カラーフィルタ基板、１１  第１基板、１２  ブラックマトリクス、１３  カラーフィルタ、１４  視差バリア、１４ａ  開口、２０  ＴＦＴアレイ基板、２１  第２基板、２２  ゲート絶縁膜、２３  層間絶縁膜、２４  画素電極、２５  ＴＦＴ、３０  液晶、４１，４１  偏光板、５０  バックライトユニット、１００  液晶表示パネル、Ｒ１，Ｇ１，Ｂ１  第１サブ画素、Ｒ２，Ｇ２，Ｂ２  第２サブ画素、ＧＬ  ゲート線、ＳＬ  ソース線。
【図１】
0006053278.tif 000002
【図２】
0006053278.tif 000003
【図３】
0006053278.tif 000004
【図４】
0006053278.tif 000005
【図５】
0006053278.tif 000006
【図６】
0006053278.tif 000007
【図７】
0006053278.tif 000008
【図８】
0006053278.tif 000009
【図９】
0006053278.tif 000010
【図１０】
0006053278.tif 000011
【図１１】
0006053278.tif 000012
【図１２】
0006053278.tif 000013
【図１３】
0006053278.tif 000014
【図１４】
0006053278.tif 000015
【図１５】
0006053278.tif 000016